(57)【要約】【課題】施工作業性を向上することができる機器収納用キャビネットを提供する。【解決手段】本体部４が本体取付部５aに固定されていない状態で、本体部４を支持する本体支持部８が底板部５に設けられている。従来、一人で取り付け作業を行うのが困難であったが、このような構造を機器収納用キャビネットに設けることによって、一人での取り付けが容易になり、施工作業性が向上することができる。【選択図】  図１
2011250578.tif 000002
【特許請求の範囲】
【請求項１】
箱状で内部に機器を収納する機器収納用キャビネットであって、前記機器が取付けられる基板、前記基板の周囲を囲む枠部を備える本体部と、板状であって壁面に対して取付けられる底板部とを有し、前記底板部は、壁面に取付ける取付部と、前記本体部を固定する本体固定部と、前記本体部が前記本体固定部に固定されていない状態で前記本体部を支持する本体支持部とを有することを特徴とする機器収納用キャビネット。
【請求項２】
前記本体支持部は、前記底板部の下端から前方に突出して設けられ、前記本体部を下から支えることを特徴とする請求項１記載の機器収納用キャビネット。
【請求項３】
前記本体支持部は、前記枠部と前記基板との間に設けられた挿入口に挿入されることを特徴とする請求項２記載の機器収納用キャビネット。
【請求項４】
前記本体支持部は、前記底板部から前方に突出した複数の支持片からなり、前記複数の支持片が、前記本体部に設けられた溝に挿入されて前記本体部を支えることを特徴とする請求項１記載の機器収納用キャビネット。
【請求項５】
前記複数の支持片は、先端に向かって先細りに形成されていることを特徴とする請求項４記載の機器収納用キャビネット。
【発明の詳細な説明】
【技術分野】
【０００１】
本発明は、内部に機器を収納する機器収納用キャビネットに関する。
【背景技術】
【０００２】
従来の機器収納用キャビネットには、例えば特許文献１に記載されている分電盤キャビネットがある。この分電盤キャビネットは、壁面に配線用ボックスを取り付けた後、ボディを配線用ボックスに取り付ける構造を有している。
【先行技術文献】
【特許文献】
【０００３】
【特許文献１】特開平９−７０１０８号公報（段落００１０及び図１〜図４）
【発明の概要】
【発明が解決しようとする課題】
【０００４】
しかしながら、特許文献１に記載の分電盤キャビネットは、一人で施工作業を行う場合、片方の手でボディを持ち、もう片方の手でネジ止めをする必要がある等、一人で取付けを行うのが困難であり、作業効率が悪い。
本発明は、上記課題に鑑みて為されたもので、施工作業性を向上することができる機器収納用キャビネットの提供を目的とする。
【課題を解決するための手段】
【０００５】
本発明の機器収納用キャビネットは、箱状で内部に機器を収納する機器収納用キャビネットであって、前記機器が取付けられる基板、前記基板の周囲を囲む枠部を備える本体部と、板状であって壁面に対して取付けられる底板部とを有し、前記底板部は、壁面に取付ける取付部と、前記本体部を固定する本体固定部と、前記本体部が前記本体固定部に固定されていない状態で前記本体部を支持する本体支持部とを有することを特徴とする。
【０００６】
この機器収納用キャビネットにおいて、前記本体支持部は、前記底板部の下端から前方に突出して設けられ、前記本体部を下から支えることが好ましい。
【０００７】
この機器収納用キャビネットにおいて、前記本体支持部は、前記枠部と前記基板との間に設けられた挿入口に挿入されることが好ましい。
【０００８】
この機器収納用キャビネットにおいて、前記本体支持部は、前記底板部から前方に突出した複数の支持片からなり、前記複数の支持片が、前記本体部に設けられた溝に挿入されて前記本体部を支えることが好ましい。
【０００９】
この機器収納用キャビネットにおいて、前記複数の支持片は、先端に向かって先細りに形成されていることが好ましい。
【発明の効果】
【００１０】
本発明の機器収納用キャビネットは、施工作業性を向上することができる効果がある。
【図面の簡単な説明】
【００１１】
【図１】本発明の機器収納キャビネットの実施形態１の分解斜視図である。
【図２】同上の本体部支持構造を示した断面図である。
【図３】本発明の機器収納キャビネットの実施形態２の分解斜視図である。
【図４】同上の本体部支持構造を示した断面図である。
【発明を実施するための形態】
【００１２】
以下、分電盤キャビネットに本発明を適用した実施形態について図１〜図４を参照し説明する。
（実施形態１）
本実施形態の機器収納用キャビネットは、図１、図２に示すように、主幹ブレーカや分岐ブレーカ等の内部機器（図示せず）が取り付けられる基板２、基板２の周囲を囲む枠部３を備える本体部４と、板状で壁面に取り付けられる底板部５とを備えている。なお、以下の説明では、図１において上下左右前後の向きを規定する。
【００１３】
底板部５は平板形状の金属板で形成され、壁面に固定される矩形状の主部５dと、主部５dの上端に設けられた本体取付部５aと、主部５dの下端に設けられた本体支持部８とを備えている。本体取付部５aは、主部５dの上端から前方へ突出し、更に壁面と平行になるように上方へ突出して形成されており、側面からみると、Ｌ字形状を有している。本体支持部８は、主部５dの下端から前方へ突出するように形成されている。主部５dの下端中央には、矩形状に切り取られることによって電線を引き込むための引き込み孔２３が設けられている。更に主部５dの４隅には、ネジ止めによって壁面に固定するための取り付け孔７が設けられている。主部５dの下端付近の左右隅の２箇所には、本体部４をネジ止めによって固定するための本体固定孔１０bが設けられている。本体固定孔１０bは、主部５dの下端付近から前方へ突出した円錐台形状の突出部１０gの先端面中心に形成されている。本体取付部５aの上端付近の左右隅の２箇所には、本体部４をネジ止めによって固定するための本体固定孔１０aが設けられている。
【００１４】
基板２は、平板形状の金属板で形成されており、ネジ止め等の適宜の方法により前面に内部機器（図示せず）を取り付ける取付部２cと、取付部２cの上端から後方へ突出して設けられた上端部２aと、取付部２cの下端から後方へ突出して設けられた下端部２bとを備えている。取付部２cの下端中央には、矩形状に切り取られることによって電線を引き込む引き込み孔６が設けられている。取付部２cの上端付近の左右隅２箇所には、底板部５の本体固定孔１０aにネジが挿通できる位置に本体固定孔１０cが設けられている。取付部２cの下端付近の左右隅２箇所には、底板部５の本体固定孔１０bにネジが挿通できる位置に本体固定孔１０dが設けられている。上端部２aの左右隅２箇所には、枠部３と上端部２aを固定するためにネジが挿通される固定孔１０eが設けられている。
【００１５】
枠部３は、基板２の周壁になるように本体部４の外枠を形成している。枠部３は、基板２の上端部２aの上面と当接する上枠部３aと、基板２の下端部２bの下面と当接する下枠部３bと、基板２の取付部２cの左右両側面と各々当接する側枠部３c,３cとで構成されている。枠部３の後端と基板２の取付部２cの背面との間には、底板部５が収まる空間が形成されており、枠部３の後端と壁面が接するようになっている。下枠部３bには、中心から後方に本体支持部８と同一形状に切り欠かれた挿入口９が設けられている。上枠部３aには、基板２の固定孔１０eにネジが挿通できる位置に固定孔１０fが設けてある。固定孔１０eから固定孔１０fにネジが挿通されることで基板２と枠部３とが固定されている。又、本体部４の前面側は、開口しており、この前面側に蓋体（図示せず）が着脱自在に装着されるようになっている。
【００１６】
本実施形態の機器収納用キャビネットを壁面に設置する際の施工手順を説明する。まず、取付け孔７にネジを挿通、締着し壁面に底板部５を取り付け、本体部４の位置決めを行う。次に、本体支持部８が挿入口９に収まるよう本体部４を前方から底板部５にかぶせ、基板２の下端部２bを本体支持部８の上に載せる。このとき本体部４が本体支持部８に下から支持されているので片方の手で押さえながら、もう片方の手でネジを締めることができる。ネジ止めについては、基板２の本体固定孔１０cから底板部５の本体固定部１０aと、本体固定孔１０dから本体固定孔１０bへネジを挿通、締着させることで底板部５に本体部４を固定させる。
【００１７】
上述のような本実施形態によれば、基板２の下端部２bが本体支持部８によって下から支持されているので一人での施工が容易になり、施工作業性を向上することができる。又、下枠部３b に設けられた挿入口９に本体支持部８が嵌合し、取付後は本体支持部８が枠部３の外に突出しないので見映えがよい。更に、挿入口９に本体支持部８が嵌合することで底板部５に対して本体部４の位置決めができる。
（実施形態２）
以下、本発明の実施形態２について図３、４を用いて説明する。但し、実施形態１と共通する部分については同一の符号を付して説明を省略する。
底板部５の主部５dの左右両側における上下方向の略中央には、矩形状で前方へ突出された一対の本体支持片１８,１８が設けられている。又、本体支持片１８の先端には前方に向かって先細りになるテーパ４０が形成されている。基板２の左右両側における上下方向の略中央には、本体支持片１８が挿通される一対の溝２１,２１が設けられている。基板２の左右両側における上下方向の略中央には、ネジを挿通し下枠部３bと基板２を固定するための舌片３０が設けられ、舌片３０の中心にはネジの挿通孔３１が設けられている。
【００１８】
本実施形態の機器収納用キャビネットを壁面に設置する際の施工手順を説明する。底板部５を壁面に固定した後、本体支持片１８を溝２１に挿通するように本体部４を前方から底板部５にかぶせる。このとき本体支持片１８が溝２１に係止されて本体部４を両側面から支持するので片方の手で押さえながら、もう片方の手でネジを締めることができる。
上述のような本実施形態によれば、基板２の左端と右端が本体支持片１８によって側面から支持されるので一人での施工が容易になり、施工作業性を向上することができる。更に、荷重を受け易い側面に沿って本体支持片１８が形成されているので、取り付け強度を向上させることができる。また、２つの本体支持片１８の先端にテーパ４０が形成されているため溝２１に容易に挿通できる。
【００１９】
実施形態１及び２以外の本体部４の支持構造として、本体部４を上方から引っ掛けてネジ止めする構造も考えられる。しかし、一旦本体部４を上方に持ち上げてから取り付けるため、天井から下方へ適切な距離を空けて取り付ける必要がある。
【００２０】
この構造と比較して、実施形態１及び２の機器収納用キャビネットは、本体部４を前方から後方向に水平移動させるだけで底板部５に取り付けることができるので、天井ぎりぎりの位置に本体部４を取り付けることができるという利点がある。
【符号の説明】
【００２１】
２  基板  
２c  取付部
３  枠部
４  本体部
５  底板部
５a  本体取付部
５d  主部
８  本体支持部
９  挿入口
【図１】
2011250578.tif 000003
【図２】
2011250578.tif 000004
【図３】
2011250578.tif 000005
【図４】
2011250578.tif 000006